(57)【要約】      （修正有）【課題】荷物全体を低温雰囲気中に置いて仕分け作業が可能で、充分な冷却効果が得られ、設備コストの抑制化を図れる、低温荷物仕分け作業台を提供する。【解決手段】開口した前面３および側面から荷物の出し入れが可能な作業室６を備え、底面部２ｂと背面部２ｃと天板部２ｄおよび左右両側板部で囲まれた作業台本体２と、作業室６の底面部２ｂ上に設けられ作業室６の長手方向に沿って荷物を移動自在な荷物移動手段１０と、荷物移動手段１０の下部に配置され冷凍サイクルを構成する蒸発器１５および送風機１４と、送風機１４から送風され蒸発器１５で熱交換して生成された冷気を冷風として作業室６背面下部から上部へ流通する冷風循環用ダクト５と、冷風循環用ダクト５に開口され冷風を作業室６へ吹出す冷却用吹出し口１８と、作業室６の前面部２ａ上端辺部に設けられ冷却用吹出し口１８から吹出された冷風を送風機１４へ案内する吸込み口１２を具備する。【選択図】図２
2015200461.tif 000002
【特許請求の範囲】
【請求項１】
開口した前面および側面から荷物の出し入れが可能な作業室を備え、底面部と背面部と天板部および左右両側板部で囲まれた作業台本体と、
前記作業台本体における前記作業室の底面部上に設けられ、作業室の長手方向に沿って荷物を移動自在な荷物移動手段と、
前記荷物移動手段の下部に配置され、冷凍サイクルを構成する蒸発器および送風機と、
前記送風機から送風され、前記蒸発器で熱交換して生成された冷気を、冷風として前記作業室背面下部から上部へ流通する冷風循環用ダクトと、
前記冷風循環用ダクトに開口され、冷風循環用ダクトに導かれた冷風を前記作業室へ吹出す冷却用吹出し口と、
前記作業室の前面部上端辺部に設けられ、前記冷却用吹出し口から吹出された冷風を吸込んで前記送風機へ案内する吸込み口と、
を具備することを特徴とする低温荷物仕分け作業台。
【請求項２】
前記冷風循環用ダクトは、前記作業室背面上部から天板部前端辺部に亘って延設され、
前記冷気循環用ダクトの延設端部に導かれた冷風を、前記前面開口部を介して下方の前記吸込み口に向かって吹出し案内するエアーカーテン吹出し口が設けられることを特徴とする請求項１記載の低温荷物仕分け作業台。
【請求項３】
前記荷物移動手段は、前記作業室の長手方向に沿って間隔を存して並設され、それぞれが長手方向に回転自在に設けられる複数本のローラーコンベアであることを特徴とする請求項１記載の低温荷物仕分け作業台。
【請求項４】
前記荷物移動手段は、前記作業室の長手方向に沿って間隔を存して並設されるとともに、前側端部が低く、背面側端部が高く傾斜していることを特徴とする請求項１記載の低温荷物仕分け作業台。
【請求項５】
前記荷物移動手段は、前記作業室の長手方向に沿って間隔を存して並設されるとともに、それぞれの軸方向は、前側端部が低く、背面側端部が高く傾斜して作業室の長手方向に回転自在に設けられる複数本のローラーコンベアおよび、前記ローラーコンベアの前端部で、ローラーコンベアの軸方向と９０°の位置関係に配設され、かつ回転自在な複数個のボールコンベアとからなることを特徴とする請求項１記載の低温荷物仕分け作業台。
【請求項６】
前記作業室の天井部に、作業室内を照明する照明手段を備えたことを特徴とする請求項１ないし請求項５のいずれかに記載の低温荷物仕分け作業台。
【請求項７】
前記作業台本体の下部に基台を備え、
前記基台の前面を、前記作業台本体の前面よりも奥側に設けたことを特徴とする請求項１ないし請求項６のいずれかに記載の低温荷物仕分け作業台。
【請求項８】
前記基台の底部に、前記作業台本体を移動自在な回転自在車を設けたことを特徴とする請求項７記載の低温荷物仕分け作業台。
【請求項９】
前記基台の内部に前記蒸発器と接続されて冷凍サイクルを構成する凝縮器、圧縮機を収納したことを特徴とする請求項７または請求項８のいずれかに記載の低温荷物仕分け作業台。
【請求項１０】
前記冷却吹出し口は、前記作業室の左右両側部は密に設けられる複数の孔部からなり、左右両側部相互間の中央部は粗く設けられる複数の孔部からなることを特徴とする請求項１ないし請求項９のいずれかに記載の低温荷物仕分け作業台。
【請求項１１】
前記低温荷物仕分け作業台に、他の低温荷物仕分け作業台を連結可能とする連結具を備えたことを特徴とする請求項１ないし請求項１０のいずれかに記載の低温荷物仕分け作業台。
【請求項１２】
前記作業室の左右両側部の少なくとも一方に着脱自在に取付け可能な、荷物の落下を防止するストッパ板を備えたことを特徴とする請求項１ないし請求項１１のいずれかに記載の低温荷物仕分け作業台。
【発明の詳細な説明】
【技術分野】
【０００１】
本発明の実施形態は、低温保存すべき荷物の仕分け作業を低温雰囲気の中で可能とした低温荷物仕分け作業台に関する。
【背景技術】
【０００２】
低温で保存すべき荷物を、たとえば複数の仕向け先（発送地域）別に仕分け作業するには、大掛かりな冷蔵室を備え、この冷蔵室内に作業台を収納するとともに、作業台前に複数の人員を配置して作業を行えばよいが、冷蔵室を備えるための設備投資が極めて大になってしまう。
【０００３】
また、対象物のみを冷却する低温コンベア装置を使用することも考えられる。この種の装置は、長手方向に延在し上面が開口する断熱箱体を備え、この断熱箱体内に長手方向に延在する冷気ダクトを備え、この冷気ダクトの適所に、冷気ダクトを閉塞可能にする電動弁を設けてなる。  
必要な電動弁を閉塞することで、作業室内全体を冷却することなく、必要なコンベア一部のみを冷却して作業できるため、省エネルギー化を図ることができる、とある。
【先行技術文献】
【特許文献】
【０００４】
【特許文献１】特開２００１−１０８３４６号公報
【発明の概要】
【発明が解決しようとする課題】
【０００５】
しかしながら、このようなコンベア装置を用いると、上下寸法が小さい荷物であればよいが、断熱箱体の上面開口部から突出するような背の高い荷物であると、冷気ダクトから吹出された冷気が荷物の上部に到達せず、冷却効果が薄れてしまう。断熱箱体の上下寸法を高くとり、コンベアから上面開口部との間隔を大にして対応すると、荷物をコンベアに出し入れするのに作業性が悪くなる。
【０００６】
冷気ダクトは長尺状のものであり、一端部から送り込まれた冷気が他端部に到達した状態で、ある程度の温度上昇は見込まなければならなない。さらに、荷物の一側部から冷風が吹出され、他側部で吹出された冷風を吸込むようになっているので、荷物の一側部のみが冷却され、他側部はさほど冷却されず、冷却ムラが生じる。
【０００７】
このような事情から、荷物全体を低温雰囲気中に置いて仕分け作業ができるようにして、充分な冷却効果が得られるとともに、設備コストの抑制化を図れる、低温荷物仕分け作業台が求められている。
【課題を解決するための手段】
【０００８】
本実施形態の低温荷物仕分け作業台によれば、開口した前面および側面から荷物の出し入れが可能な作業室を備え、底面部と背面部と天板部および左右両側板部で囲まれた作業台本体と、作業台本体における作業室の底面部上に設けられ作業室の長手方向に沿って荷物を移動自在な荷物移動手段と、荷物移動手段の下部に配置され冷凍サイクルを構成する蒸発器および送風機と、送風機から送風され蒸発器で熱交換して生成された冷気を冷風として作業室背面下部から上部へ流通する冷風循環用ダクトと、冷風循環用ダクトに開口され冷風循環用ダクトに導かれた冷風を作業室へ吹出す冷却用吹出し口と、作業室の前面部上端辺部に設けられ冷却用吹出し口から吹出された冷風を吸込んで送風機へ案内する吸込み口とを具備する。
【図面の簡単な説明】
【０００９】
【図１】本実施形態に係る、低温荷物仕分け作業台の外観斜視図。
【図２】同実施形態に係る、低温荷物仕分け作業台の概略の縦断面図。
【図３】同実施形態の変形例に係る、低温荷物仕分け作業台の概略の縦断面図。
【図４】同変形例に係る、荷物移動手段の斜視図。
【図５】さらに他の変形例に係る、低温荷物仕分け作業台の概略の正面図。
【図６】さらに他の変形例に係る、２台の低温荷物仕分け作業台を連結した状態を示す図。
【発明を実施するための形態】
【００１０】
以下、本実施形態について、図面を参照して説明する。  
図１は、低温荷物仕分け作業台の外観斜視図、図２は低温荷物仕分け作業台の概略の縦断面図である。
【００１１】
低温荷物仕分け作業台は、最下部の薄い鉄板で箱状に形成される基台１上に、断熱構造の作業台本体２が一体に載設されてなる。基台１および作業台本体２は、正面視および平面視で略矩形状をなし、互いの背面部位置は共通であるが、作業台本体２の前面部２ａは、基台１の前面部１ａよりも前方に突出している。換言すれば、基台１の前面部１ａが、作業台本体２の前面部２ａよりも奥側に位置する。また、基台１、作業台本体２は、横長形状となっている。
【００１２】
作業台本体２は、側面視で略コ字状にとなっており、前面部２ａと、底面部２ｂと、背面部２ｃと、天板部２ｄおよび、左右両側板部２ｅとで構成される。  
作業台本体２の断熱構造として、外郭を構成する前面部２ａと、背面部２ｃと、天板部２ｄおよび左右両側板部２ｅは、平らな金属板やその曲げ加工品からなり、その内面に断熱材が貼付されている。
【００１３】
なお、前面部２ａと、背面部２ｃと、天板部２ｄおよび左右両側板部２ｅの外側表面（外装面）は、見栄えをよくするため、塗装もしくは鏡面加工、ヘアライン仕上げ等が施される。また、底面部２ｂは、後述するように断熱樹脂材で形成される。
【００１４】
図２に示すように、天板部２ｄの前端辺部は下方に折曲される前側上辺部２ｄｄであり、前面部２ａ上端辺部との間に前面開口部３が形成される。左右両側板部２ｅの端縁は、前面部２ａ上端と略同一高さで底面部２ｂとの間に亘って設けられ、背面部２ｃおよび天板部２ｄから所定の間隔を有した内側に設けられるとともに、前側上辺部２ｄｄとの間に亘って設けられる。
【００１５】
作業台本体２の底面をなす底面部２ｂは、前面部２ａから背面部２ｃに至る間の中間部までは所定の高さ寸法に形成されるが、中間部から背面部２ｃまでは一段と下がって形成される。このような底面部２ｂに対して、前面部２ａ上端辺部と背面部２ｃとの間に亘って隔壁４および冷風循環用ダクト５が連設される。
【００１６】
なお、作業台本体２は、基台１の上に載置される。基台１には、上面を覆う部材はなく、開放されているため、作業台本体２が基台１に取付けられると、作業台本体２の底面部２ｂは、基台１の上面を覆う天板としても機能する。
【００１７】
隔壁４の左右両側部は、作業台本体２の左右両側板部２ｅに密接して固定されている。そして、前面部２ａの上端辺部を覆う前側端部および、冷風循環用ダクト５に連結する背面側端部は、互いに同一高さに形成されるが、これら両端部を除く中間部分は凹陥形成された凹陥部４ａとなっている。
【００１８】
作業台本体２内部の、隔壁４と冷風循環用ダクト５に囲まれる空間部分が作業室６であり、この作業室６は前面開口部３を有するとともに左右両側板部２ｅを除く左右両側端部７が開放される。したがって、作業室６は、前面および側面が開口している。
【００１９】
作業室６の天井部を構成する冷風循環用ダクト５の上面部内側には、照明手段を構成する蛍光灯もしくはＬＥＤからなる照明器具８が設けられ、作業室６内を隅々まで明るく照明し、早朝や夜間での作業を行い易くしている。
【００２０】
作業室６の底部上である隔壁４は皿状になっており、その下方にくぼんだ凹陥部４ａ上には、荷物移動手段としての多数本のローラーコンベア１０が、作業室６の左右長手方向に亘って回転自在に設けられる。
【００２１】
なお説明すると、凹陥部４ａの前後奥行き方向の中間部には軸受け板１１が設けられ、凹陥部４ａ内を前後に二分している。隔壁凹陥部４ａの前面壁と軸受け板１１とに前列側のローラーコンベア１０の軸部が支持され、軸受け板１１と凹陥部４ａの背面壁に後列側のローラーコンベア１０の軸部が支持される。したがって、ローラーコンベア１０は隔壁凹陥部４ａに沿って、前後二列に並設されることになる。
【００２２】
また、作業室６における前面部２ａ上端辺部である隔壁４の前側端部から凹陥部４ａの前側端部に至る間には、多数の孔部からなる吸込み口１２が設けられる。この吸込み口１２により、作業室６内と、隔壁４と底面部２ｂとの間の空間が連通される。
【００２３】
作業台本体２の底面部２ｂと隔壁４および左右両側板部２ｅとの間の空間を熱交換室１３と呼ぶ。この熱交換室１３の前側端部は吸込み口１２を介して作業室６の前面開口部３と連通され、背面側端部は冷風循環用ダクト５と連通されることになる。
【００２４】
熱交換室１３の作業台本体２の底面部２ｂを形成する中間部から背面部までの一段と下がった部位に、送風機１４と冷凍サイクルを構成する蒸発器１５が対向して配置される。なお、送風機１４を支持する支持具は底面部２ｂ上に載設されるが、蒸発器１５は底面部２ｂに取付けられた図示しない支持具を介して底面部２ｂと背面部２ｃに対して空間を介して支持される。
【００２５】
底面部２ｂは、蒸発器１５から滴下したドレン水を受けるドレン皿の機能を備えている。底面部２ｂに排出されたドレン水は、図示しない底面部２ｂの低い位置に設けられた排水口から下方の基台１に排水される。このドレン水は、そのまま基台１から、外部へ排出される。ドレン水をそのまま外部に排出したくない場合は、基台１内にドレン水の蒸発処理機能を設けたり、一旦タンクに貯留するなどの方法を用いてもよい。
【００２６】
底面部２ｂは、上述のとおり基台１の天板となっている。基台１の内部には後述する圧縮機２３などの電気部品が収納されており、内部にはできる限り水がかかるのを防止することが望まれる。このため、底面部２ｂは、発泡樹脂材等の断熱性のある材料で形成している。この結果、底面部２ｂの下面（基台１）側に結露水が付着することが防止でき、基台１の内部に結露水が滴下することを防止できる。
【００２７】
一方、冷風循環用ダクト５は、作業台本体１の背面部２ｃと天板部２ｄおよび左右両側板部２ｅと、区画板１６およびダクト板１７とから構成されていて、後述するように、前面側の主冷風循環用ダクト５Ａと、背面側の補助冷風循環用ダクト５Ｂとの二層構造となっている。
【００２８】
すなわち、区画板１６の下端部は蒸発器１５の背面側端面に密着して背面全体を覆い、作業台本体背面部２ｃとは空隙を有して設けられる。そして、区画板１６は背面部２ｃと空隙を有したまま上方へ延出され、さらに天板部２ｄと空隙を有して折曲され、天板部２ｄの前側辺部２ｄｄに至る。この区画板１６の左右両側端部は、左右両側板部２ｅに密接して取付けられている。
【００２９】
作業室６の奥面および上面を形成するダクト板１７の下端部は、隔壁４の背面端部と一体に折曲形成される。そして、区画板１６とは空隙を有して平行に、上部へ延出され、作業室６の天井部を構成するよう、天板部２ｄの前側辺部２ｂｂまで同一間隔を保持する。このダクト板１７の左右両側部も、左右両側板部２ｅに密接している。
【００３０】
したがって、冷風循環用ダクト５は、区画板１６とダクト板１７および左右両側板部２ｅとで囲まれる空間部分と、区画板１６と背面部２ｃ、天板部２ｄおよび左右両側板部２ｅとで囲まれる空間部分とに仕切られることになり、前者を主冷風循環用ダクト５Ａと呼び、後者を補助冷風循環用ダクト５Ｂと呼ぶ。
【００３１】
なお、蒸発器１５の上端部は、凹陥部４ａの背面壁と区画板１６との間に挟持されており、主冷風循環用ダクト５Ａに対して開放される。また、上述したように蒸発器１５の背面側端面に区画板１６下端部が密着する一方で、蒸発器１５下端面は底面部２ｂと空隙を介して配置されるところから、蒸発器１５下端面のみが補助冷風循環用ダクト５Ｂに対して開放されることになる。
【００３２】
ダクト板１７の背面部には、複数の孔部からなる冷却用吹出し口１８が設けられ、これら冷却用吹出し口１８を介して作業室６と主冷風循環用ダクト５Ａが連通される。送風機１４を駆動することで主冷風循環用ダクト５Ａに導かれる冷風が冷却用吹出し口１８を介して作業室６に吹出されるが、補助冷風循環用ダクト５Ｂに導かれる冷風は冷却用吹出し口１８から吹出されることはない。
【００３３】
区画板１６とダクト板１７の天板部２ｄ前側辺部２ｄｄには、吸込み口１２に向かって斜め下方に傾いたエアーカーテン吹出し口２０が設けられる。このエアーカーテン吹出し口２０は、ハニカム形状の多数の開口が形成されており、主冷風循環用ダクト５Ａと補助冷風循環用ダクト５Ｂに連通するところから、双方のダクト５Ａ，５Ｂに導かれた冷風が同時に吹出されることになる。
【００３４】
一方、基台１の前面板１ａと背面板１ｂは、多数の孔部が設けられた、いわゆるパンチングメタルからなる。基台１内部の前面板１ａに対向する部位に凝縮器２１が配置されるとともに、凝縮器２１を吸込み側とし、背面板１ｂを吹出し側とした送風機２２が配置される。
【００３５】
さらに、圧縮機２３および図示しないバルブ類およびタンク類が配置され、作業台本体２内の蒸発器１５と配管接続されて、これらの部品で冷凍サイクルを構成する。なお、上述の作業台本体２の底面部２ｂには、蒸発器１５と基台１側の冷凍サイクル部品とを接続するための冷媒配管が貫通できる孔（図示しない）が形成されている。
【００３６】
基台１の底面部四隅には、基台１と作業台本体２を移動自在にする、すなわち低温荷物仕分け作業台を移動自在とした回転自在車（いわゆる、キャスター：登録商標）２４が設けられている。
【００３７】
このようにして構成される低温荷物仕分け作業台であり、予め、圧縮機２３をはじめとする冷凍サイクル機器および送風機１４，２２を作動し、照明器具８を点灯する。熱交換室１３に配置される送風機１４は、吸込み口１２から前面開口部３の空気を吸込んで蒸発器１５へ送風する。蒸発器１５は送られてきた空気と熱交換して冷気に変える。
【００３８】
蒸発器１５の上端部が主冷風循環用ダクト５Ａに対して開放している一方で、蒸発器１５の背面側端面が区画板１６で覆われているので、蒸発器１５の下端部を除く略全体を流通した冷気は主冷風循環用ダクト５Ａに導かれる。
【００３９】
さらに、蒸発器１５の下端部に沿って流通し、熱交換して冷気となり、区画板１６と背面部２ｃとの空隙を介して補助冷風循環用ダクト５Ｂに導かれる冷風がある。ここに導かれる冷風は、蒸発器１５の下端面のみを流通し熱交換しただけなので、さほど冷却されておらず、主冷風循環用ダクト５Ａに導かれる冷風よりも、ある程度温度が高い。
【００４０】
一方、主冷風循環用ダクト５Ａを連通する、より低温の冷風は、ダクト板１７に設けられる背面の冷却用吹出し口１８から作業室６へ吹出され、作業室６を低温雰囲気に維持する。そして、冷却用吹出し口１８から作業室６へ吹出されなかった冷風は、作業室６天井部分を流通してエアーカーテン吹出し口２０に至る。
【００４１】
補助冷風循環用ダクト５Ｂに流通する冷風は、そのまま背面部２ｃと天板部２ｄに沿って導かれ、エアーカーテン吹出し口２０に至り、主冷風循環用ダクト５Ａから導かれる冷風とともに吹出されて、作業室６の前面開口部３に冷風のエアーカーテンを形成する。
【００４２】
作業室前面開口部３において、主冷風循環用ダクト５ａから吹出される、より低温の冷風の前面側に、補助冷風循環用ダクト５Ｂから吹出される、ある程度低温とした冷風が流れ、温度二層の冷風となる。したがって、作業台本体２の前面開口部３から作業室６内に物を出入りしても、エアーカーテンはそれらの影響を受けることが少なくてすむ。
【００４３】
冷却用吹出し口１８から吹出された冷風と、エアーカーテン吹出し口２０から吹出され冷風は、作業室前面開口部３から吸込み口１２に導かれ、さらに熱交換室１３の送風機１４に吸込まれて、上述の系路を循環する。なお、このエアーカーテン内となる作業室６内の背面の冷却用吹出し口１８から作業室６へ吹出された空気も、同様に吸込み口１２から吸込まれて循環する。
【００４４】
このようにして、予め、上述の冷凍サイクル運転を行い、作業室６を低温雰囲気にした状態で、冷凍・冷蔵保存すべき荷物（以下、単に、「荷物」と呼ぶ）Ｎの仕分け作業を行う。
【００４５】
たとえば、冷凍車に集積し運搬してきた荷物Ｎを、冷凍車から順次、シュートを使って作業室６の一方の端部の開口（たとえば、左側の側端部７の開口）から作業室６へ送り込む。送り込まれた荷物Ｎは、作業室６底部のローラーコンベア１０上に載る。
【００４６】
作業室６内は先に述べたように冷凍サイクル運転を開始しているので低温雰囲気となっており、荷物Ｎ全体は外気に触れることがないとともに、部分的な冷却ムラが生じることなく冷却され、低温状態を保持できる。
【００４７】
作業室６の一方の端部前面には、図２に示すように作業員Ｍが待機していて、シュートから降ろされローラーコンベア１０上に載った荷物Ｎを順次、他方の端部（右側の側端部）方向へ送り出す。作業室６の前面には、この作業員Ｍと並んで複数の作業員Ｍが待機している。
【００４８】
可能な限り多くの荷物Ｎを作業室６に置けるようにすることが望ましいため、作業室６は長い横長形状が好ましいが、横寸法を大きくすると不使用時に広い置き場所を必要とするため、これらの兼ね合いから適切な横寸法が設定される。
【００４９】
この状態で荷物Ｎの仕分け作業が行われる。それぞれの作業員Ｍは、それぞれ仕向け先（配達地域）を担当している。荷物Ｎの上面には送り伝票Ｐが添付されていて、それには送り先が記載されている。
【００５０】
作業員Ｍは送り伝票Ｐの送り先を読んで、担当する仕向け先の荷物Ｎが目前に移動してきた場合に、その荷物を取り出す。また、担当する仕向け先ではない荷物Ｎが送り出されてきたら、その荷物は隣りへ送り出す。
【００５１】
作業員は、担当する仕向け先として取り出した荷物Ｎを、別途、待機している冷凍車に搭載する。同一の仕向け先用として複数の作業員を待機させ、交代で、作業室６から待機する冷凍車に搭載作業を行えば、荷物Ｎは速やかにして円滑に仕分けされる。
【００５２】
たとえ高温になった屋外での作業であっても、待機する冷凍車と、この低温荷物仕分け作業台とを近くに配置すれば、荷物Ｎはほとんど外気に触れることなく、冷凍・冷蔵保存状態が維持される。
【００５３】
作業室６の前面開口部３に、前面側（作業員Ｍ側）がある程度低温で、背面側（作業室６側）がより低温の、温度状態が二層になった冷風のエアーカーテンが形成されるので、前面開口部３から作業室６に荷物を出し入れし、それに伴い作業員Ｍの腕などが出し入りしても、冷風のエアーカーテンとしての効果が乱れることがほとんどなく、作業室６内は低温雰囲気を維持する。
【００５４】
作業室６の天井部である、ガイド板１７の天板部に照明器具８を取付け、作業室６内を明るく照明したので、荷物Ｎに貼付された送り伝票Ｐの送り先文字が読み易く、作業性の向上を図ることができる。
【００５５】
基台１の上部に熱交換室１３を形成し、この熱交換室１３の上部に作業室６の底面部を形成して荷物移動手段であるローラーコンベア１０を備えた。ローラーコンベア１０は地面Ｇから所定高さの位置に設けられることになり、荷物Ｎを出し入れする作業員Ｍは楽な姿勢で作業でき、人間工学的に理想の高さを得られる。
【００５６】
さらに、作業台本体２の前面部２ａよりも、基台１の前面部１ａを奥側に形成したので、作業員Ｍの片足を作業台２の下に入れることができる。このため、荷物Ｎを作業室６から出し入れする際に，作業員Ｍの体幹を作業室６により近づけることができ、作業員Ｍの疲労度合いを小さくできる。 
基台１の底部に回転自在車２４を取付けたので、必要な場所に低温荷物仕分け作業台を移動し、不使用時には別途、倉庫等に収容することが容易である。
【００５７】
作業室６の左右両側端部７は開放されている一方で、作業室６の底部には長手方向に回転自在に複数のローラーコンベア１０が並設されている。したがって、作業室６の左右両側端部７のいずれか一方から誤って荷物Ｎを地面Ｇに落下させてしまう虞れがある。
【００５８】
このような事故を防止するために、作業室６の左右両側部のいずれか一方、もしくは両方に着脱自在に平板のストッパ板（図２中、二点鎖線で示す）２５を取付け・取外し可能にしておく。
【００５９】
すなわち、荷物Ｎを冷凍車から搬入する側にはストッパ板２５を取付けず、逆側にはストッパ板２５を取付けることで、一方から荷物Ｎが落下するのを防止できる。そして、左右のいずれの端部もストッパ板２５を取付け可能としておけば、荷物Ｎを搬入する冷凍車と、低温荷物仕分け作業台との位置関係が、左右いずれの場合でも同様に扱うことができる。
【００６０】
ストッパ板２５は、ローラーコンベア１０上の荷物Ｎが左右両側端部７から落下することを防止できればよいので、図２に示すようにローラーコンベア１０の上面より上、好ましくは荷物Ｎの高さ方向の半分よりも上までの高さがあれば良い。さらに、ストッパ板２５を大きくして作業室６の左右両側端部７の一方の全体を覆えば、ストッパ板２５を取付けた側の左右両側端部７からの作業室６内の冷気の漏れを防止でき、より省エネルギーとすることもできる。
【００６１】
図３は、本実施形態の変形例を示す低温荷物仕分け作業台の概略の縦断面図、図４は、ここに設けられる荷物移動手段１０Ｂの斜視図である。荷物移動手段１０Ｂおよび隔壁４Ｂを除く他の構成部品は、先に図１および図２で示したものと同一であるので、同図を適用して新たな説明を省略する。
【００６２】
隔壁４Ｂの左右両側部は、作業台本体１の左右両側板部２ｅに亘って設けられ、隔壁４Ｂの前側辺部は前面部２ａの上端辺部に載るとともに、吸込み口１２が開口されることは変わりがない。さらに、凹陥部４ｂの前面壁４０ａが、上端部から下端部にかけて斜め後方に傾斜して設けられ、この前面壁４０ａと略９０°の角度を有して底面壁４０ｂが形成されている。
【００６３】
すなわち、底面壁４０ｂは前端側が深く、背面側が浅く傾斜している。凹陥部４ｂの背面壁４０ｃは底面壁４０ｂと略９０°の角度を有していて、前面壁４０ａと平行に形成される。
【００６４】
主冷風循環用ダクト５Ａを構成するダクト板１７は隔壁凹陥部４ｂの底面壁４０ｂと背面壁４０ｃとの折曲部を支持し、蒸発器１５の上端前面角部に連結される。したがって、隔壁４Ｂが作業室６と熱交換室１３を区画することには変わりがない。
【００６５】
このような隔壁凹陥部４ｂに、荷物移動手段１０Ｂである複数本のローラーコンベア１００ａが並設される。凹陥部４ｂの底面壁４０ｂは前端部が低く、背面端部が高く形成されるところから、ローラーコンベア１００ａの軸方向も、前側端部が低く、背面側端部が高く、底面壁４０ｂと平行に支持される。そして、作業室６の長手方向である左右方向に回転自在に設けられることは、ここでも変わりがない。
【００６６】
さらに、凹陥部４ｂの前面壁４０ａには、ローラーコンベア１００ａとともに荷物移動手段１０Ｂを構成する複数個のボールコンベア１００ｂが所定の間隔を有して枢支される。上述したように、凹陥部前面壁４０ａと背面壁４０ｂは略９０°の角度を形成しており、ローラーコンベア１００ａの軸方向は背面壁４０ｂと平行であるから、ボールコンベア１００ｂはローラーコンベア１００ａの軸方向に対して約９０°の位置関係にあり、しかも任意の方向に回転自在である。
【００６７】
このような作業室６を備えた場合、シュートから送られた荷物Ｎは、その底面部をローラーコンベア１００ａに支持され、前面部をボールコンベア１００ｂに支持される。荷物Ｎは前面に低く、背面に高く傾斜され、上面は作業員Ｍの視野に対してほぼ正対する。この荷物Ｎの上面には送り伝票Ｐが添付されていて、作業員Ｍは送り伝票Ｐに記載された内容（送り先）を、正確に、かつ容易に読取ることができる。
【００６８】
仕向け先に該当する荷物Ｎを作業室６から取り出すにあたって、凹陥部４ｂの前面壁４０ａの高さ分を引き上げる必要があるが、前面壁４０ａには複数個のボールコンベア１００ｂが設けられているので、これらボールコンベア１００ｂが回転して荷物Ｎを軽く引き出すことができ、作業員Ｍの労力軽減に役立つ。
【００６９】
図５は、本実施形態のさらに変形例を示す、低温荷物仕分け作業台の正面図である。なお、作業台本体２下部および基台１については、内部を透視的に示している。  
作業室６の左右両側端部７はほとんど開放しており、強風が吹くなど天候の具合によっては、ここから作業室６に外気が侵入し、あるいは作業室６内の冷気が外部に漏れ、冷却効果が損なわれる虞れがある。
【００７０】
そこで、作業室６の左右両側端部７近傍に設けられる冷却用吹出し口１８Ａを、密の間隔で設けられる孔部から構成し、作業室６の左右両側端部７間の中央部に設けられる冷却用吹出し口１８Ｂを、粗の間隔で設けられる複数の孔部から構成する。
【００７１】
作業室６の中央部に比較して左右両側端部７付近から吹出される冷風の風量が大になり、作業室６の左右両側端部７が開放していることによる冷却ムラの影響を抑制でき、冷却度の均一化を得られる。
【００７２】
また、ここでは図示しないエアーカーテン吹出し口２０を作業室６の天井部前端辺部から左右両側板部２ｅに亘って延設するとともに、作業室６の前面部２ａ上端辺部に設けられる吸込み口１２を、左右両側板部２ｅにまで延設する。
【００７３】
この場合には、作業室６側から天井部を覗くと、作業室６の開放面に沿ったコ字状のエアーカーテン吹出し口２０が形成される。同様に、作業室６から下方を覗くとコ字状の吸込み口１２が形成される。このコ字状のエアーカーテン吹出し口２０とコ字状の吸込み口１２は、作業室６を介して対面する。  
したがって、作業室６の左右両側端部７付近にもエアーカーテンが形成でき、より一層の作業室６の冷却度の均一化が得られる。
【００７４】
図６は、本実施形態のさらに変形例を示す、２台連結した低温荷物仕分け作業台の正面図である。  
予め、低温荷物仕分け作業台Ｔの作業台本体２の前面および背面の所定位置に、連結具３０を設けることによって、必要に応じて他の低温荷物仕分け作業台Ｔと連結できる。たとえば、仕分け先が多い場合など、１台の低温荷物仕分け作業台Ｔでは処理しきれない場合などに、２台の低温荷物仕分け作業台Ｔ−Ｔを連結する。
【００７５】
荷物移動手段１０は作業室６の左右両側端部７に亘って設けられているので、一方の低温荷物仕分け作業台Ｔから他方の低温荷物仕分け作業台Ｔへの荷物移動が支障なく行われる。
【００７６】
なお、このように複数台を横に並べて設置する場合には、当然ながら、２台の低温荷物仕分け作業台Ｔ−Ｔのそれぞれの連結側のストッパ板２５は外しておく必要がある。この連結具３０の設置個所は、作業台本体２の前面および背面に限らず、基台１に設けてもよく、要は隣り合わせた低温荷物仕分け作業台Ｔ−Ｔ間をできるだけ少ない隙間で連結できるような位置、構造であればよい。
【００７７】
なお、上述したように吸込み口１２を前面部２ａ上端辺部から左右両側板部２ｅまで、コ字状に延設したタイプの低温荷物仕分け作業台の場合は、作業台相互間での荷物Ｎの受け渡しが容易に可能なように、左右両側板部２ｅに適宜、ローラーコンベアもしくはボールコンベアを設けるなど、荷物移動手段１０，１０Ｂの配置構造を設計的に考慮すればよい。
【００７８】
また、以上の実施形態においては、作業台本体２が基台１と別体として説明したが、作業台本体２の底面部２ｂを基台１の天板に兼用したように、両者の左右両側板部２ｅを同じ１枚の板で共通化してもよい。
【００７９】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００８０】
２ａ…前面部、２ｂ…底面部、２ｃ…背面部、２ｄ…天板部、２ｅ…左右両側板部、３…前面開口部、６…作業室、２…作業台本体、１０，１０Ｂ…荷物移動手段、４…隔壁、１５…蒸発器、１４…送風機、５…冷気循環用ダクト、１８…冷却用吹出し口、１２…吸込み口、２０…エアーカーテン吹出し口、１０，１００ａ…ローラーコンベア（荷物移動手段）、１００ｂ…ボールコンベア（荷物移動手段）、８…照明器具（照明手段）、１…基台、２４…回転自在車、３０…連結具
【図１】
2015200461.tif 000003
【図２】
2015200461.tif 000004
【図３】
2015200461.tif 000005
【図４】
2015200461.tif 000006
【図５】
2015200461.tif 000007
【図６】
2015200461.tif 000008